(57)【特許請求の範囲】
【請求項１】
複数枚の液晶表示パネルの各端子部にＡＣＦ（異方性導電膜）よりなるテープ体を一連に貼着する液晶表示パネルのＡＣＦ貼着装置において、
複数枚の液晶表示パネルがその各端子部を同一方向として一列状態に並べられる整列面を有するテーブルと、上記テープ体を保持するテープ保持手段と、同テープ保持手段から上記テープ体を引き出しながら上記各端子部上を走行してその各端子部に貼着する貼着ヘッドと、同貼着ヘッドを上記テーブルに対して移動可能に支持するヘッド支持手段とを備えており、
上記ヘッド支持手段は、上記テーブルの整列面と平行な第１ガイド手段および同第１ガイド手段に沿って移動する主基板と、上記第１ガイド手段と直交するように上記主基板に設けられた第２ガイド手段および同第２ガイド手段に沿って移動する副基板とを含み、上記副基板に上記貼着ヘッドが支持され、
上記副基板と上記貼着ヘッドとの間には、同貼着ヘッドを上記テーブル側に向けて付勢する弾性手段が介装されていることを特徴とする液晶表示パネルのＡＣＦ貼着装置。
【請求項２】
上記副基板には上記貼着ヘッドの移動ストロークを規制するストッパー手段が設けられていることを特徴とする請求項１に記載の液晶表示パネルのＡＣＦ貼着装置。
【請求項３】
上記貼着ヘッドに接続される負圧源をさらに備え、同貼着ヘッドの上記端子部と対向する面が上記テープ体の負圧吸着面とされていることを特徴とする請求項１または２に記載の液晶表示パネルのＡＣＦ貼着装置。
【請求項４】
上記負圧吸着面には、上記貼着ヘッドの走行方向に沿って負圧吸着溝が形成されていることを特徴とする請求項３に記載の液晶表示パネルのＡＣＦ貼着装置。
【発明の詳細な説明】
【０００１】
【発明の属する技術分野】
本発明は液晶表示パネルのＡＣＦ貼着装置に関し、さらに詳しく言えば、複数枚の液晶表示パネルの各端子部に対してＡＣＦを一連に貼着し得るようにした液晶表示パネルのＡＣＦ貼着装置に関するものである。
【０００２】
【従来の技術】
ＡＣＦ（Ａｎｉｓｏｔｒｏｐｉｃ  Ｃｏｎｄｕｃｔｉｖｅ  Ｆｉｌｍ：異方性導電膜）は、熱可塑性もしくは熱硬化性の樹脂フィルム内に導電性微粒子を分散させたもので、加熱圧着することにより単一方向（厚さ方向）に導電性が発現する。
【０００３】
液晶表示パネルの分野では、端子部に形成されている引出電極群と例えばＴＣＰ（Ｔａｐｅ  Ｃａｒｒｉｅｒ  Ｐａｃｋａｇｅ）などのプリント基板の電極群とを一括接続する際に用いられており、図６には液晶表示パネル１の端子部１ａ上にＡＣＦよりなるテープ体２を貼着した状態が示されている。
【０００４】
【発明が解決しようとする課題】
従来において、このテープ貼りはパネルの一つごとに手作業で行なっているため、工数がかかるばかりでなく、貼着位置精度にもバラツキが生じやすく、電気的接続の信頼性に欠けるきらいがあった。
【０００５】
また、理想的にはまっすぐに一定の張力で貼り付けることが好ましいが、現実的には手作業であるため、図７に誇張して示されているように、強く伸ばされて貼り付けられたり（Ａ部参照）、緩んだ状態で貼り付けられることがある（Ｂ部参照）。
【０００６】
伸ばされた部分では接触面積不足することになる。これに対して、緩みをもって貼り付けられた部分では内部に気泡が発生する場合があり、これがリーク発生の原因となる。
【０００７】
本発明は、このような課題を解決するためになされたもので、その目的は、複数枚の液晶表示パネルを並べた状態で、その各端子部に対してＡＣＦテープ体を一定の張力で一括して貼り付けることができるようにした液晶表示パネルのＡＣＦ貼着装置を提供することにある。
【０００８】
【課題を解決するための手段】
上記目的を達成するため、本発明は、複数枚の液晶表示パネルの各端子部にＡＣＦ（異方性導電膜）よりなるテープ体を一連に貼着する液晶表示パネルのＡＣＦ貼着装置において、複数枚の液晶表示パネルがその各端子部を同一方向として一列状態に並べられる整列面を有するテーブルと、上記テープ体を保持するテープ保持手段と、同テープ保持手段から上記テープ体を引き出しながら上記各端子部上を走行してその各端子部に貼着する貼着ヘッドと、同貼着ヘッドを上記テーブルに対して移動可能に支持するヘッド支持手段とを備えており、上記ヘッド支持手段は、上記テーブルの整列面と平行な第１ガイド手段および同第１ガイド手段に沿って移動する主基板と、上記第１ガイド手段と直交するように上記主基板に設けられた第２ガイド手段および同第２ガイド手段に沿って移動する副基板とを含み、上記副基板に上記貼着ヘッドが支持され、上記副基板と上記貼着ヘッドとの間には、同貼着ヘッドを上記テーブル側に向けて付勢する弾性手段が介装されていることを特徴としている。
【０００９】
本発明によれば、ヘッド支持手段は、テーブルの整列面と平行な第１ガイド手段および同第１ガイド手段に沿って移動する主基板と、第１ガイド手段と直交するように主基板に設けられた第２ガイド手段および同第２ガイド手段に沿って移動する副基板とを含み、副基板に貼着ヘッドが支持されていることにより、貼着ヘッドの移動を正確に制御することができる。
【００１０】
また、副基板と貼着ヘッドとの間には、同貼着ヘッドをテーブル側に向けて付勢する弾性手段が介装されていることにより、端子部に対する貼着ヘッドの接触圧を均一にすることができる。同様な理由により、副基板には貼着ヘッドの移動ストロークを規制するストッパー手段が設けられていることが好ましい。
【００１１】
また、貼着ヘッドを負圧源に接続して、同貼着ヘッドの端子部と対向する面をテープ体の負圧吸着面とする態様も本発明に含まれる。この場合、その負圧吸着面に貼着ヘッドの走行方向に沿って負圧吸着溝を形成することにより、テープ体を適度な吸着力にて保持することが可能になる。
【００１２】
【発明の実施の形態】
次に、本発明を図面に示されている実施例によりさらに詳しく説明する。図１はこの実施例に係るＡＣＦ貼着装置の正面図、図２はその要部断面図で、図３にはこの装置のテーブルが斜視図として示されている。
【００１３】
このＡＣＦ貼着装置は大きく分けて、複数枚の液晶表示パネル１を整列するためのテーブル１０と、テーブル１０上に配置された貼着ヘッド２０と、貼着ヘッド２０を支持して所定の方向に移動させる支持手段３０とから構成されている。
【００１４】
図３によく示されているように、テーブル１０はほぼ水平に設置された頑丈な基台１１を備えている。基台１１上には、複数枚（この実施例では６枚）液晶表示パネル１を水平の一列状態で整列可能とするためのパネル整列面１２１を有するブロックメンバー１２が載置されている。
【００１５】
ブロックメンバー１２の一方の側縁には、パネル整列面１２１よりも高い高さを有する側面ブロック１２２が添設されている。側面ブロック１２２の高さは、液晶表示パネル１の厚さ程度であればよい。また、パネル整列面１２１の片側（図３において左端）にはストッパブロック１２３が配置されている。
【００１６】
側面ブロック１２２は定規ブロックであって、この側面ブロック１２２に各液晶表示パネル１の端子部１ａを揃えることにより、６枚の液晶表示パネル１をそれらの端子部１ａを同一方向として横一列に正確に並べることができる。
【００１７】
支持手段３０は、テーブル１０上の所定高さ位置において、そのパネル整列面１２１と平行に配置された第１ガイド手段としての水平ガイドビーム３１を備えており、この水平ガイドビーム３１に主基板３２が摺動可能に装着されている。図２に示されているように、主基板３２には水平ガイドビーム３１に対して直交する向きとされた第２ガイド手段としての垂直ガイドレール３２１が設けられている。
【００１８】
詳しくは図示されていないが、垂直ガイドレール３２１は例えばその両側辺に断面コ字状の案内溝を有するレール体であってよく、この垂直ガイドレール３２１に沿って副基板３３が上下方向に摺動可能とされている。
【００１９】
すなわち、副基板３３の裏面には、垂直ガイドレール３２１内に摺動自在に嵌合する摺動板３３１が一体的に取り付けられており、副基板３３はこの摺動板３３１および垂直ガイドレール３２１を介して主基板３２に上下動可能に保持されている。
【００２０】
この副基板３３により貼着ヘッド２０が支持されるが、この場合、副基板３３には、ブラケット３３３を介して一対の軸受け筒３３２，３３２が取り付けられている。この軸受け筒３３２，３３２はともに垂直方向に配向され、その内部にはロッド３３４，３３４が摺動可能に挿通されている。
【００２１】
この各ロッド３３４，３３４の下端に貼着ヘッド２０が取り付けられるのであるが、この実施例においては、貼着ヘッド２０と軸受け筒３３２，３３２との間には、貼着ヘッド２０をテーブル１０側に向けて付勢するコイルバネ３３５，３３５がそれぞれ介装されている。
【００２２】
副基板３３には、ＡＣＦよりなるテープ体２が巻回されたリール２１を回転可能に保持するリール受け回転軸３４が設けられている。なお、このリール受け回転軸３４には、リール２１の脱落防止のためのリール押え３４１が螺合され、また、リール２１から貼着ヘッド２０に至る間のテープ供給経路には、２つのガイドローラ３３６，３３７が設けられている。
【００２３】
この実施例において、副基板３３は手動にてテーブル１０に対して押し下げられるようにされており、そのため、副基板３３にはハンドル３５が設けられている。すなわち、ハンドル３５の操作により副基板３３が押し下げられ、これに伴なって貼着ヘッド２０が液晶表示パネル１の端子部１ａに押し付けられるのであるが、主基板３２と副基板３３との間には、その移動ストロークを規制する手段が設けられている。
【００２４】
このストローク手段は、図４に示されているように、主基板３２側に突設された突起３２２と、この突起３２２と対向するように上下一対の関係をもって副基板３３側に設けられた当接駒３６，３６とから構成されている。この例では、各当接駒３６，３６はそれらの間隔が調節可能とされている。
【００２５】
すなわち、副基板３３の上縁と下縁とには雌ネジ部３３８，３３８がそれぞれ固着されており、各当接駒３６，３６はそれぞれ高さ調節ネジ軸３６１，３６１を介してその雌ネジ部３３８，３３８に保持されている。したがって、調節ネジ軸３６１，３６１を回すことにより当接駒３６，３６間の間隔が調節され、副基板３３の移動ストロークが任意に決められる。
【００２６】
次に、図５を参照して貼着ヘッド２０について説明する。この実施例によると、貼着ヘッド２０はアルミニウムのブロック体よりなり、同図（ａ）の正面図において、貼着動作時の移動方向が図示矢印Ｘ方向の左側であるとすると、貼着ヘッド２０の底面２１には、その移動方向に向けて昇り勾配となる傾斜が付けられている。
【００２７】
この実施例でその傾斜角は１５度であるが、その傾斜の立ち上がり始点は、図５（ａ）において、貼着ヘッド２０の右端から約５ｍｍ程度左側に寄った位置とされている。底面２１の幅は、リール２１から供給されるＡＣＦテープ体２の幅と同幅もしくはそれよりも広い幅とされている。
【００２８】
図５（ｃ）の底面図に示されているように、底面２１の傾斜部には、貼着ヘッド２０の移動方向に沿って溝２１１が形成されている。これに対して、底面２１の右端部分には図５（ｂ）の右側面図に示されているような凸部２１２が形成されている。なお、溝２１１と凸部２１２は同幅とされている。
【００２９】
貼着ヘッド２０内には、その移動方向に沿って幹となる１本の主空気通路２２が穿設されている。この主空気通路２２には枝となる例えば５本の分岐空気通路２２１が連通されており、その内の４本は底面２１の溝２１１内に開口され、残りの１本が凸部２１２の部分に開口されている。
【００３０】
主空気通路２２は図示しない真空ポンプなどの負圧源に接続される。これにより、貼着ヘッド２０の底面２１は、その溝２１１内に発生する負圧によりＡＣＦテープ体２を吸着する負圧吸着面として作用する。なお、溝２１１の存在により、ＡＣＦテープ体２は底面２１に強固にではなく、簡単に剥がせる状態で吸着保持される。
【００３１】
次に、このＡＣＦ貼着装置の一連の動作について説明する。なお、ＡＣＦテープ体２はその一方の面が粘着面とされているとともに、他方の面に剥離テープが貼り合わせられ、その粘着面側を外側としてリール２１に巻回されているものとする。また、テーブル１０上には、図３に示されているように、例えば６枚の液晶表示パネル１がその端子部１ａを同一方向として一列状態に整列されているものとする。
【００３２】
まず、図示しない負圧源を起動させて貼着ヘッド２０を負圧吸着状態とする。リール２１からＡＣＦテープ体２を引き出し、ガイドローラ３３６，３３７に掛け渡してその先端を貼着ヘッド２０に吸着保持させる。なお、その負圧吸着力はＡＣＦテープ体２の粘着力よりも弱く設定する。
【００３３】
次に、ハンドル３５にて副基板３２をストローク規制手段の下方の当接駒３６が突起３２２に当接する高さに持ち上げ、貼着ヘッド２０をテーブル１０上の所定高さ位置とした状態で、主基板３２を水平ガイドビーム３１に沿って移動させ、貼着ヘッド２０を図３のパネル列の右端に位置させる。
【００３４】
そして、ハンドル３５を押し下げて貼着ヘッド２０を液晶表示パネル１の端子部１ａ上に降ろす。このとき、ストローク規制手段の上方の当接駒３６が突起３２２に当接するため、貼着ヘッド２０はコイルバネ３３４，３３４による一定のバネにて端子部１ａに押し付けられることになる。
【００３５】
しかる後、ハンドル３５を押して貼着ヘッド２０を図１および図３の左方向に移動させる。これにより、リール２１からＡＣＦテープ体２が順次引き出され、液晶表示パネル１の各端子部１ａに対して一度に貼着される。
【００３６】
この場合、貼着ヘッド２０の底面２１には溝２１１と凸部２１２とが形成されているため、ＡＣＦテープ体２はその底面２１から簡単に離れるとともに、凸部２１２にて強く押圧されるため、ＡＣＦテープ体２は確実に各各端子部１ａに貼着される。貼着終了後、ＡＣＦテープ体２は貼着ヘッド２０とテーブル１０との間でナイフやハサミなどによりカットされる。
【００３７】
このようにして、ＡＣＦテープ体２を一定の押圧力にてしかもまっすぐに理想的な状態で貼着することができる。なお、上記実施例では、貼着ヘッド２０を手動にて移動させるようにしているが、モータやエアシリンダなどの駆動機構により自動式にすることも可能である。
【００３８】
【発明の効果】
以上説明したように、本発明のＡＣＦ貼着装置によれば、複数枚の液晶表示パネルがその各端子部を同一方向として一列状態に並べられる整列面を有するテーブルと、ＡＣＦテープ体を保持するテープ保持手段と、同テープ保持手段からＡＣＦテープ体を引き出しながら各端子部上を走行して貼着する貼着ヘッドと、同貼着ヘッドをテーブルに対して移動可能に支持するヘッド支持手段とを備えていることにより、複数枚の液晶表示パネルを並べた状態で、その各端子部に対してＡＣＦテープ体を一定の張力で一括して貼り付けることができる。
【図面の簡単な説明】
【図１】本発明によるＡＣＦ貼着装置の実施例を示した正面図。
【図２】上記実施例の要部断面図。
【図３】上記実施例中のテーブルを示した斜視図。
【図４】上記実施例中のストローク規制手段を説明するための断面図。
【図５】上記実施例中の貼着ヘッドを示した正面図、右側面図および底面図。
【図６】液晶表示パネルの端子部にＡＣＦテープ体を貼着した状態を示した概略的な斜視図。
【図７】人手による貼着作業での課題を説明するための模式図。
【符号の説明】
１  液晶表示パネル
１ａ  端子部
２  ＡＣＦテープ体
２１  リール
１０  テーブル
１２１  パネル整列面
１２２  側面（定規）ブロック
２０    貼着ヘッド
２１  底面
２１１  溝
２１２  凸部
３０  支持手段
３１  水平ガイドビーム
３２  主基板
３３  副基板
３３５  コイルバネ
３５  ハンドル
【図１】
0003886266.tif 000002
【図２】
0003886266.tif 000003
【図３】
0003886266.tif 000004
【図４】
0003886266.tif 000005
【図５】
0003886266.tif 000006
【図６】
0003886266.tif 000007
【図７】
0003886266.tif 000008